(57)【要約】      （修正有）【課題】簡単な機構の付加により、粉塵の捕集率を向上させる。【解決手段】コンクリートやブロック、石、タイル、ALC２０などの、土間や壁面、天井面の下側から上側、上側から下側、左側から右側、右から左側を切削時、コーナーの面取りなどに使用する。切削時に、電気やエアーやエンジンを原動力として回転するハンドカッターにより切り込みを形成する際には、切削の進行に伴い、カッターブレード３１の厚みや切り込み深さに応じて、例えば、実寸法にして、幅１・５ミリから最大１２ミリ程度、深さは１０ミリから最大２００ミリ程度の切削溝２が形成される。この際に発生した粉塵の大半は、カッターブレード３１の直後に位置する後方飛散防止プレート１２、１３を通過して、吸塵口１４に向けて巻き上げられて吸引される。【選択図】図１
2009298018.tif 000002
【特許請求の範囲】
【請求項１】
電気やエアーやエンジンを原動力として回転するカッターブレードを覆い、前記カッターブレード後方に配置される後方飛散防止用プレートと、上記プレートの後方に設けられ作業に伴って発生する粉塵を吸引する排気口などを設けたことを特徴とする集塵カバー付きコンクリートハンドカッター。
【請求項２】
後方飛散防止用プレートが、ハット型断面より通路を形成している。請求項１記載の集塵カバー付きコンクリートハンドカッター。
【発明の詳細な説明】
【技術分野】
【０００１】
本発明はハンドカッターに関し、特に吸塵機能を強化したハンドカッターに関する。
【背景技術】
【０００２】
はつり工事に用いられるハンドカッターはコンクリート面、石材面、タイル面、ブロック面、モルタル面、ALC（軽量気泡コンクリート）面などにはつりの境界となる部分に数センチ程度の深さの切り込みを入れる際に使用されこのような切り込みを形成した後にはつり工事を実施している。（例えば、特許文献１参照）
【０００３】
このはつり工事においてはハンドカッターによる溝状の切り込みを形成するときに多量の粉塵が飛散し作業環境が悪化する上に特に室内でこの種の工事を実施する場合には室内や室外に配置されている設備機器、例えば電話機、ファックス、コンピューターなどの電子機器に悪影響を及ぼし室外での作業においての環境保全はもちろん作業員や近隣者の粉塵吸引や地球に対する影響が非常に大きくなる。（例えば、特許文献１〜４参照）
【０００４】
【特許文献１】特開平１０−２７２６２２
【特許文献２】特開平７−２２３１１６
【特許文献３】特開平７−３２８８３９
【特許文献４】特開２００２−４６０１８
【発明の開示】
【発明が解決しようとする課題】
【０００５】
このためこのような工事を施工する際には周囲の養生や機器類の移動などの準備作業を必要とするほか工事後の清掃などに多大な手数を要していた。そこで従来では、吸塵機能付きハンドカッターがこの種の工事に必要とされていた。
【０００６】
すなわち、ハンドカッターにより切り込みを形成する際には、切削の進行に伴い、図示のごとくカッターブレードの厚みや切り込み深さに応じて、例えば、実寸法にして、幅１・５ミリから最大１２ミリ程度、深さ１０ミリから最大２００程度の切削溝２が形成される。
【０００７】
この際に発生した粉塵の大半は、カッターブレード３１の直後に位置する後方飛散防止プレートを通過して、吸塵口１４に向けて巻き上げられて吸引される事が好ましい。
【０００８】
ところが、粉塵の一部は、図の矢印のごとく、この切削溝２１の隙間を伝って後方まで吹き飛ばされるため、実際には、粉塵捕集率は、発生した全量ではなく、せいぜい８０〜９０％程度の捕集率となっていた。
【０００９】
このため、従来では、カッターブレード３１に水をかけて飛散を防止したり、後追いで電気掃除機をかけたりしているが、いずれも面倒で手数のかかる作業となっていた。
【００１０】
本発明は、以上の問題を解決するものであって、その目的とするところは、簡単な機構の付加により、粉塵の捕集率が向上するハンドカッターを提供することにある。
【００１１】
本発明は、このような従来の構成が有していた問題を解決しようとするものであり、自らのモーターを利用する事なく、動力が電気使用や、エアー使用での他力を使う事により切断する時のパワーの低下や、モーターの焼き付きを一切無くし従来より集塵力を高める事を実現するものである。
【課題を解決するための手段】
【００１２】
上記課題を解決するために、電気やエアーやエンジンを原動力として回転するカッターブレードを覆い、前記カッターブレード後方に配置される後方飛散防止用プレートと、上記プレートの後方に設けられ作業に伴って発生する粉塵を吸引する排気口などを設けたことを特徴とする集塵カバー付きコンクリートハンドカッターを提供する。
【００１３】
上記課題を解決するために第２の発明は、後方飛散防止用プレートが、ハット型断面より通路を形成している。請求項１記載の集塵カバー付きコンクリートハンドカッターを提供する。
【発明の効果】
【００１４】
すなわち、ハンドカッターにより切り込みを形成する際には、切削の進行に伴い、図示のごとくカッターブレード３１の厚みや切り込み深さに応じて、例えば、実寸法にして、幅１・５ミリから最大１２ミリ程度、深さ１０ミリから最大２００ミリ程度の切削溝２が形成される。
【００１５】
この際に発生した粉塵の大半は、カッターブレード３１の直後に位置する後方飛散防止プレートを通過して、吸塵口１４に向けて巻き上げられて吸引される。
【００１６】
ところが、粉塵の一部は、図の矢印のごとく、この切削溝２１の隙間を伝って後方まで吹き飛ばされるため、実際には、粉塵捕集率は、発生した全量ではなく、せいぜい８０〜９０％程度の捕集率となっていた。
【００１７】
このため、従来では、カッターブレード３１に水をかけて飛散を防止したり、後追いで電気掃除機をかけたりしているが、いずれも面倒で手数のかかる作業となっていた。
【００１８】
本発明は、以上の問題を解決するものであって、その目的とするところは、簡単な機構の付加により、粉塵の捕集率が向上するハンドカッターが得られた。
【実施例】
【００１９】
以下、本発明の実施例を図１に基づいて説明する。
【００２０】
図において３１はカッターブレードで、２１は切削されて行く溝である。この時に出る粉塵が、カッターブレード３１の直後に位置する後方飛散防止プレートを通過して、集塵口１４に吸い込まれる。
【００２１】
１１は周囲を包囲するブレードカバーで、３２は取っ手で、切削する時に安定性を保つ物である。
【００２２】
形状は、周囲を包囲するブレードカバー前部１１は丸型でもよいが、六角形や八角形でもよい。
【００２３】
この後方飛散防止プレート１２は、図３の１２が示すように、コンクリート面に接するフランジ１５，１５と集塵通路を形成するコの字形断面とでなるハット型(帽子型)の断面を有しており、その寸法はカッターブレード３１の直後から後方に１００ミリ〜３００ミリで、横幅は全体で５０ミリ〜２００ミリで中央部のコの字の高さは、１０ミリ〜１００ミリであるが、この寸法よりも大きくても小さくても問題はない。フランジ１6の先端は,
やや上向きに傾斜した斜面を形成する。
【００２４】
この後方飛散防止プレート全ての材質は、スチールで製作するのが一番安く製作出来るが、アルミなら軽く、ステンレスなら丈夫に製作出来る。
【００２５】
後方飛散防止プレートの製作に関しては、プレスで製作したり、溶接して製作する事も出来る。
【００２６】
使い方に関しては土間のコンクリートを切削したり、コンクリートやブロック、石、タイル、モルタル面、ALC（軽量気泡コンクリート）の土間や壁面、天井面の下側から上側、上側から下側、左側から右側、右から左側を切削したり、コーナーの面取りなどに使用する。
【００２７】
ハンドカッターの動力源は、電気モーターなら１００〜２００ボルトの範囲で使用されている。使用回転数は、２０００回転から１５０００回転内で使用されている。
【００２８】
さらに、コンプレッサーでのエアーの動力源もある。コンプレッサー自体の動力は、エンジン式と電気モーター式がある。エアーなら圧力が、５キロ〜９キロの範囲内で使用されている。使用回転数は、６０００回転から１５０００回転内で使用されている。
【００２９】
そして、ハンドカッター本体自体にエンジンが付いたタイプもある。使用回転数は、３０００回転から１５０００回転内で使用されている。
【００３０】
カッターブレードの厚みは、１．５ミリから最大１２ミリである。また、直径dは、９０ミリから最大４００ミリである。
【００３１】
カッターブレードの材質は、鉄板に焼きを入れたものや、工具鋼などである。
【００３２】
カッターブレードでコンクリートを切削する時に、たまに鉄筋に当たるときがあるが、若干量だと十分に切断できる。
【００３３】
粉塵の捕集率が向上して、周りの人や地球にも環境保全に適している。
【図面の簡単な説明】
【００３４】
【図１】本発明の実施例を示す、集塵カバー付きコンクリートハンドカッターの横から見た図面。
【図２】同、集塵カバー付きコンクリートハンドカッターの斜視図である。
【図３】図１におけるA-A線に沿う断面図である。
【図４】図１におけるB-B線に沿う断面図である。
【図５】図１におけるC-C線に沿う断面図である。
【図６】図１におけるD-D線に沿う断面図である。
【符号の説明】
【００３５】
１０カッターブレードを覆うカバー本体
１１カッターブレードを覆うカバー前部
１２カッターブレード後方に配置される、後方飛散防止用プレート中央部の断面図、ハット型
１３カッターブレード後方に配置される、後方飛散防止用プレートの後部
１４吸塵口
１５フランジ
１６傾斜した斜面のフランジ先端
２０切削されないコンクリートやブロック、石、タイル、モルタル、ALC（軽量気泡コンクリート）
２１切削されていくミゾ
３０ハンドカッター本体
３１カッターブレード
３２取っ手
【図１】
2009298018.tif 000003
【図２】
2009298018.tif 000004
【図３】
2009298018.tif 000005
【図４】
2009298018.tif 000006
【図５】
2009298018.tif 000007
【図６】
2009298018.tif 000008